(57)【要約】【課題】  光ディスクに対する記録データの記録を高精度に行うことができるようにする。【解決手段】  記録データを記録する前に、光ピックアップ１２からレーザビームの光ディスク１に照射させてテスト用データを書込んでおき、テスト用データの読み出しを行う。そして、信号処理部１３が生成する再生信号から、光ディスク１における書込み状態を評価して、記録データを記録する際のレーザビームの最適パワーを決定する。ここで、光ディスク１の書込み状態を評価する際、システムコントローラ２０は、再生特徴抽出部２４が出力する再生信号のボトム値を示すＢＨ信号と閾値とを比較し、その結果に基づき光ピックアップ１２の読取り位置を正しく調整する。【選択図】  図１
2005174445.tif 000002
【特許請求の範囲】
【請求項１】
光ディスクに記録用データを記録する光ディスク記録装置の光パワー適正化方法であって、
前記光ディスクに光ピックアップから光を発光させてテスト用データを書込む試し書き処理と、
移動機構により前記光ピックアップを移動させて前記テスト用データの再生処理を行い、該光ピックアップで受光した光から前記光ディスクの前記テスト用データの読み込まれた位置を特定する読み込み位置特定処理と、
前記特定されたテスト用データの読み込まれた位置で前記光ピックアップが受光する光から、前記記録用データを該光ディスクに記録する際に該光ピックアップで発光する光のパワーを決定するパワー決定処理と、
を実施することを特徴とする光パワー適正化方法。
【請求項２】
前記読み込み位置特定処理は、前記移動機構により前記光ピックアップを移動させ、該光ピックアップで受光した光の強度のボトム値と閾値とを比較し、該ボトム値が閾値以下になるとき、前記試し書きされたテスト用データが適正に再生されたと判断することを特徴とする請求項１に記載の光パワー適正化方法。
【請求項３】
前記読み込み位置特定処理は、前記ボトム値が前記閾値を上回るとき、前記試し書きされたテスト用データが適正に再生されなかったと判断することを特徴とする請求項２に記載の光パワー適正化方法。
【請求項４】
前記読み込み位置特定処理において、前記試し書きされたテスト用データが適正に再生されなかったと判断したとき、前記テスト用データの再生処理を再度行うことを特徴とする請求項３に記載の光パワー適正化方法。
【請求項５】
光ディスクに記録用データを記録する光ディスク記録装置であって、
前記光ディスクに前記光ピックアップから光を発光させてテスト用データを書込む試し書き手段と、
前記移動機構により前記光ピックアップを移動させて前記テスト用データの再生処理を行い、該光ピックアップで受光した光から前記光ディスクの前記テスト用データの読み込まれた位置を特定する読み込み位置特定手段と、
前記特定されたテスト用データの読み込まれた位置で前記光ピックアップが受光する光から、前記記録用データを該光ディスクに記録する際に該光ピックアップで発光する光のパワーを決定するパワー決定手段と、
備えることを特徴とする光ディスク記録装置。
【請求項６】
光ディスクに記録用データを記録する装置を備えるコンピュータに、
前記光ディスクに前記光ピックアップから光を発光させてテスト用データを書込む試し書き手段と、
前記移動機構により前記光ピックアップを移動させて前記テスト用データの再生処理を行い、該光ピックアップで受光した光から前記光ディスクの前記テスト用データの読み込まれた位置を特定する読み込み位置特定手段と、
前記特定されたテスト用データの読み込まれた位置で前記光ピックアップが受光する光から、前記記録用データを該光ディスクに記録する際に該光ピックアップで発光する光のパワーを決定するパワー決定手段として機能させる、
ことを特徴とするプログラム。
【発明の詳細な説明】
【技術分野】
【０００１】
本発明は、光パワー適正化方法、光ディスク記録装置及びプログラムに関する。
【背景技術】
【０００２】
ＣＤ−Ｒ（Compact  Disc  Recordable），ＣＤ−ＲＷ（Compact  Disc  Rewritable）等の記録可能な光ディスクに記録データを記録する光ディスク記録装置では、光ピックアップから光ディスクに照射する光のパワーを適正化するために、ＯＰＣ（Optimum  Power  Calibration）を事前に実施する。（特許文献１を参照）
【特許文献１】特開２００２−３１９１３５
【０００３】
ＯＰＣは、光ディスクの最内周に用意してある領域のＰＣＡ（Power  Calibration  Area）に、テスト用データを光パワーを段階的に変化させて試し書きしておき、そのテスト用データを読取って再生させたときの再生信号を評価し、その結果から、光ディスクに照射する光のパワーの最適値を求めている。
【発明の開示】
【発明が解決しようとする課題】
【０００４】
しかしながら、テスト用データを再生する際に、光ピックアップが、テスト用データを読取る正しい位置からずれることがあった。そのため、例えばテスト用データが書込まれている位置よりも光ピックアップが内周側にずれると、光ピックアップがデータの記録されていない領域を読取ることになる。これにより、再生信号には、テスト用データを読取ることによる状態変化が現れなくなり、適正な光パワーを求められなくなる。結果として、光ディスクに、最適な光パワーでの記録ができなくなり、記録品位が悪化することがあった。
【０００５】
本発明は、このような現状を鑑みてなされた発明であり、最適光パワーを精度高く確実に求めることができる光パワー最適化方法、光ディスク記録装置及びプログラムを提供することをことを目的する。
【課題を解決するための手段】
【０００６】
上記目的を達成するために、本発明の第１の観点に係る光パワー適正化方法は、
光ディスクに記録用データを記録する光ディスク記録の光パワー適正化方法であって、
前記光ディスクに光ピックアップから光を発光させてテスト用データを書込む試し書き処理と、
移動機構により前記光ピックアップを移動させて前記テスト用データの再生処理を行い、該光ピックアップで受光した光から前記光ディスクの前記テスト用データの読み込まれた位置を特定する読み込み位置特定処理と、
前記特定されたテスト用データの読み込まれた位置で前記光ピックアップが受光する光から、前記記録用データを該光ディスクに記録する際に該光ピックアップで発光する光のパワーを決定するパワー決定処理と、
を実施することを特徴とする。
【０００７】
なお、前記読み込み位置特定処理は、前記移動機構により前記光ピックアップを移動させ、該光ピックアップで受光した光の強度のボトム値と閾値とを比較し、該ボトム値が閾値以下になるとき、前記試し書きされたテスト用データが適正に再生されたと判断するしてもよい。
この場合、前記読み込み位置特定処理は、前記ボトム値が前記閾値を上回るとき、前記試し書きされたテスト用データが適正に再生されなかったと判断してもよい。
さらに、前記読み込み位置特定処理において、前記試し書きされたテスト用データが適正に再生されなかったと判断したとき、前記テスト用データの再生処理を再度行ってもよい。
【０００８】
上記目的を達成するために、本発明の第２の観点に係る光ディスク記録装置は、光ディスクに記録用データを記録する光ディスク記録装置であって、
光ディスクに前記光ピックアップから光を発光させてテスト用データを書込む試し書き手段と、
移動機構により前記光ピックアップを移動させて前記テスト用データの再生処理を行い、該光ピックアップで受光した光から前記光ディスクの前記テスト用データの読み込まれた位置を特定する読み込み位置特定手段と、
前記特定されたテスト用データの読み込まれた位置で前記光ピックアップが受光する光から、前記記録用データを該光ディスクに記録する際に該光ピックアップで発光する光のパワーを決定するパワー決定手段と、
を備えることを特徴とする。
【０００９】
上記目的を達成するために、本発明の第３の観点に係るプログラムは、
光ディスクに記録用データを記録する装置を備えたコンピュータに、
前記光ディスクに光ピックアップから光を発光させてテスト用データを書込む試し書き手段と、
移動機構により前記光ピックアップを移動させて前記テスト用データの再生処理を行い、該光ピックアップで受光した光から前記光ディスクの前記テスト用データの読み込まれた位置を特定する読み込み位置特定手段と、
前記特定されたテスト用データの読み込まれた位置で前記光ピックアップが受光する光から、前記記録用データを該光ディスクに記録する際に該光ピックアップで発光する光のパワーを決定するパワー決定手段として機能させる、
ことを特徴とする。
【発明の効果】
【００１０】
本発明によれば、テスト用データの読み出された位置が特定され、その特定された位置の光ディスクの反射光に基づき、記録用のデータを記録する際の光パワーが決定される。よって、最適光パワーを精度高く求めることができる。
【発明を実施するための最良の形態】
【００１１】
図１は、本発明の実施形態に係る光ディスク記録装置を示す構成図である。
この光ディスク記録装置は、記録可能なＣＤ−Ｒ（Compact  Disc  Recordable）やＣＤ−ＲＷ（Compact  Disc  Rewritable）等の光ディスク１に記録データを書き込む機能と、光ディスク１から記録データを読出す機能の両方を持つ。
【００１２】
光ディスク記録装置は、モータ１１と、光ピックアップ（ＰＵ）１２と、信号処理部１３と、データ復調部１４と、データバッファ１５と、サーボ部１６と、駆動ドライバ部１７と、インタフェース部１８と、システムコントローラ２０と、メモリ２１と、データ変調部２２と、レーザ制御部２３と、再生特徴抽出部２４と、サンプルホールド回路２５と、ＤＡＣ(Digital  Analog  Convertor)回路２６と、ＡＰＣ（Auto  Power  Controller）回路２７とを備えている。
【００１３】
光ピックアップ１２は、レーザビームを発生する発光素子と、光ディスク１で反射したレーザを受光する受光素子と、発光素子の発光状態をモニタするフロントモニタダイオード（ＦＭＤ）１２ａとを有している。
【００１４】
信号処理部１３は、光ピックアップ１２の受光素子と接続され、その受光素子の出力信号から再生信号を生成すると共に、フォーカス情報、トラッキング情報等を生成する。
【００１５】
データ復調部１４の入力側は、信号処理部１３に接続され、信号処理部１３から出力される再生信号をデジタル化し、さらに、復号化等を行う。データ復調部１４の出力側は、データバッファ１５に接続されている。データバッファ１５は、データを一時的に保持するものであり、インタフェース部１８に接続されている。インタフェース部１８は、外部にデータを入出力するものである。
【００１６】
サーボ部１６は、信号処理部１３に接続され、この信号処理部１３からフォーカス情報及びトラッキング情報を入力し、光ピックアップ１２の位置を制御する制御信号を生成する。
【００１７】
駆動ドライバ部１７は、サーボ部１６に接続されている。駆動ドライバ部１７は、光ピックアップ１２の位置を移動させるための図示しない位置制御モータ等を、サーボ部１６の生成した制御信号に基づき駆動する。
【００１８】
システムコントローラ２０は、ＣＰＵ（Central  Processing  Unit）等で構成され、メモリ２１と接続されている。システムコントローラ２０は、装置全体の動作を制御するものである共に、ＯＰＣ（Optimum  Power  Calibration）の制御を行って光パワーの最適化を行う。
【００１９】
メモリ２１には、光ディスク１に書込まれているデータを読み出すために光ピックアップ１２で発生するレーザビームのパワーを指示する読み出し用のパワー指示データと、後述するテスト用データの書込みを行うために、複数の書込み用のパワー指示データとが、事前に格納されている。書込み用のパワー指示データには、光ディスクの製造メーカごとに、中心となるパワー指示データと、その中心のパワー指示データの±１５％の範囲で設定された、例えば１５段階のパワーを示すパワー指示データとがある。
【００２０】
データ変調部２２は、与えられたデータに符号化等を行って変調するものであり、データバッファ１５からデータを入力すると共にシステムコントローラ２０からデータを入出力するように接続されている。外部からインタフェース部１８を介してデータバッファ１５に与えられた記録用データが、データ変調部２２に入力される。テスト用データも、システムコントローラ２０からデータ変調部２２に入力される。
【００２１】
データ変調部２２の出力側には、レーザ制御部２３が接続されている。レーザ制御部２３は、光ディスク１を照射するレーザビームの照射状態を制御する回路である。レーザ制御部２３は、光ピックアップ１２に対して発光素子の発生するレーザ光の強度を調整する制御信号を送信する。システムコントローラ２０は、信号処理部１３を介して、駆動ドライバ部１７に対し、前記位置制御モータ等の動作を制御する制御信号を送信する。
【００２２】
再生特徴抽出部２４は、ピークホールド回路、ボトムホールド回路及び２次ローパスフィルタ等を備え、これらにより、信号処理部１３で生成した再生信号の特徴を抽出する。
【００２３】
サンプルホールド回路２５は、フロントモニタダイオード１２ａの出力信号をサンプリングする回路であり、サンプルホールド回路２５の出力側は、システムコントローラ２０とＡＰＣ回路２７とに接続されている。
【００２４】
システムコントローラ２０は、データ変調部２２に制御信号を送り、光ピックアップの位置を調整する機能と、レーザビームの強度を示すパワー指示データをＤＡＣ回路２６に与える機能を備えている。ＤＡＣ回路２６は、システムコントローラ２０に接続され、システムコントローラ２０が出力するパワー指示データをアナログ変換する。ＤＡＣ回路２６は、ＡＰＣ回路２７内に設けられている。ＡＰＣ回路２７は、サンプルホールド回路２５でサンプリングされた信号値が変化しない方向に作用する。即ち、サンプルホールド回路２５及びＡＰＣ回路２７は、光ピックアップ１２の発光素子が発生するレーザ光の負帰還回路を構成し、レーザ光を安定化させるように機能する。
【００２５】
次に、この光ディスク記録装置の動作を説明する。
光ディスク記録装置は、光ディスク１に記録データを書込む前に、図２の手順でＯＰＣを行い、テスト用データを書込み、光パワーを適正化する。
図２は、ＯＰＣによる光パワー適正化方法を示すフローチャートである。
まず、ステップＳＴ１で、光ディスク１の製造メーカを認識するディスク認識処理を行う。
【００２６】
システムコントローラ２０は、読み出し用のパワー指示データをメモリ２１から読み出し、ＤＡＣ回路２６に与える。また、システムコントローラ２０は、信号処理部１３に指示を出し、モータ１１を回転させる。
【００２７】
ＤＡＣ回路２６は、与えられたパワー指示データをアナログ変換し、レーザ制御部２３を介して光ピックアップ１２の発光素子に与える。発光素子は、パワー指示データに対応するパワーで発光し、レーザビームを光ディスク１に照射する。
【００２８】
モータ１１が光ディスク１を回転させているため、光ピックアップ１２は、光ディスク１をレーザビームで走査することになる。光ピックアップ１２の受光素子は、光ディスク１で反射したレーザビームを取得して光電変換し、信号処理部１３が、再生信号、フォーカス情報、トラッキング情報等を生成する。
【００２９】
フォーカス情報及びトラッキング情報は、サーボ部１６に与えられる。サーボ部１６は、フォーカス情報及びトラッキング情報に基づき制御信号を発生し、光ピックアップ１２の位置制御を行う。
【００３０】
光ディスク１の所定の領域には、ディスクの種類や製造メーカを示すデータが記録されている。これらのデータが記録されている領域にレーザビームが照射されることにより、光ディスク１で反射したレーザビームの強度が、そのデータに対応して変化する。即ち、記録されているデータが読み出される。
【００３１】
データ復調部１４は、再生信号の復調を行い、データバッファ１５に保持させる。システムコントローラ２０は、データバッファ１５の保持しているデータから、光ディスク１の製造メーカを認識する。
【００３２】
システムコントローラ２０は、外部から指示された記録速度に対応するように、信号処理部１３に制御信号を与え、モータ１１と駆動ドライバ部１７とをその記録速度に対応させて稼働させる（ステップＳＴ２）。
【００３３】
ステップＳＴ１により製造メーカを認識したシステムコントローラ２０は、その製造メーカから提供された光ディスク１に対応してメモリ２１に格納された書込み用のパワー指示データの１つを読み出す（ステップＳＴ３）。
【００３４】
サーボ部１６の制御により、光ピックアップ１２が光ディスク１の内周側に用意されたＰＣＡ（Power  Calibration  Area）に対向したときに、システムコントローラ２０は、ステップＳＴ３で取得したパワー指示データをＤＡＣ回路２６に与える。これと平行して、システムコントローラ２０は、ＯＰＣのためのテスト用データをデータ変調部２２に与える。
【００３５】
ＤＡＣ回路２６は、与えられたデータをアナログ変換して電圧信号を出力する。この電圧信号は、レーザ制御部２３を介して光ピックアップ１２の発光素子に与えられ、電圧信号に基づき発光素子がレーザビームを発光する。このレーザビームが光ディスク１のＯＰＣ領域に照射され、光ディスク１にテスト用データが書込まれる。即ち、試し書きが行われる（ステップＳＴ４）。
【００３６】
システムコントローラ２０は、試し書きの記録速度が４倍速以下であるか否かを判断し（ステップＳＴ６）、４倍速を越える場合には（ステップＳＴ６：ＹＥＳ）、レーザ制御部２３に制御信号を与え、４倍速に設定して、モータ１１と駆動ドライバ部１７を稼働する（ステップＳＴ７）。
【００３７】
システムコントローラ２０は、レーザ制御部２３に制御信号を与え、ステップＳＴ４でテスト用データの試し書きを行ったと思われる位置のわずかに前、光ピックアップ１２の位置を調整させ（ステップＳＴ８）、そこから光ピックアップ１２を書込み方向へ移動させる。
【００３８】
光ピックアップ１２の受光素子には、発光素子が発生したレーザビームが光ディスク１から反射して反射光として入射する。光ピックアップ１２の位置が正しく調整され、光ディスク１にテスト用データが書込まれている場合には、反射光の強度が低くなり、信号処理部１３の生成する再生信号のレベルも低くなる。
【００３９】
再生特徴抽出部２４のボトムホールド回路は、再生信号のボトム値をホールドしたボトムホールド信号（ＢＨ信号）を出力する（ステップＳＴ９）。システムコントローラ２０は、ボトムホールド回路のＢＨ信号と所定の閾値とを比較し（ステップＳＴ１０）、ＢＨ信号が閾値よりも高い場合には（ステップＳＴ１０：ＹＥＳ）、テスト用データが書込まれいない位置を再生したと判断し、再度、光ピックアップ１２の位置を調整させる（ステップＳＴ１１）。
【００４０】
ＢＨ信号が閾値以下の場合には（ステップＳＴ１０：ＮＯ）、テスト用データが書込まれている位置を再生したと判断し、システムコントローラ２０は、再生特徴抽出部２４の出力信号を取り込む（ステップＳＴ１２）。
【００４１】
再生特徴抽出部２４の出力信号には、図３のように、前述のＢＨ信号の他、ピークホールド回路が再生信号のピークをホールドしたピークホールド信号（ＰＨ信号）や、２次ローパスフィルタが生成した再生信号の直流成分を示すＢＣＥＮＴ信号がある。
図３は、再生特徴抽出部の出力信号を示す図である。
【００４２】
システムコントローラ２０は、ＢＨ信号、ＰＨ信号及びＢＣＥＮＴ信号から、光ディスク１に記録データを記録するための最適記録光パワーＰＷを決定する。この最適記録光パワーＰＷの決定処理を図４を参照して説明する。
【００４３】
図４は、最適記録光パワーＰＷの決定処理の概念を説明する図である。
具体的には、例えば、各パワー指示データに従ったレーザビームのパワーで書込まれたテスト用データについて、ＢＨ信号とＰＨ信号のＢＣＥＮＴ信号に対するそれぞれの差に対する比（＝β％）を求め、これらを平均化する。さらに、平均化された全てのβを平均化する。ここで、レーザビームのパワー対βの関係がリニアに変化すると仮定し、βの傾きαを求める。
【００４４】
パワー指示データに従ったレーザビームの光パワーをＰ１，Ｐ２，…，Ｐ１５が１５ステップあるとすると、平均化されたβは、８ステップ目の光パワーＰ８のβ値と見なせる。
【００４５】
この平均化したβと目標の例えば４％との差Δβとから、（１）式を作成し（ステップＳＴ１３）、その（１）式から最適記録光パワーＰＷを決定する（ステップＳＴ１４）。即ち、β値が目標値の４％になる光パワーを求める。
ＰＷ＝（Ｐ８−Ｐ９）×α×Δβ＋Ｐ８・・・（１）
【００４６】
システムコントローラ２０は、決定した最適記録光パワーＰＷをメモリ２１に記憶させる。システムコントローラ２０は、ディスク１のカウントエリアに使用済みエリアを記録させる（ステップＳＴ１５）。
【００４７】
以上の処理の後に、外部からインタフェース部１８を介して与えられた記録データの記録を行う（ステップＳＴ１６）。
外部から与えられた記録データは、データバッファ１５に一時的に保持される。データバッファ１５からデータ変調部２２に与えられる。データ変調部２２は、記録データを変調してレーザ制御部２３に与える。システムコントローラ２０は、最適記録光パワーＰＷをメモリ２１から読み出し、ＤＡＣ回路２６に与える。ＤＡＣ回路２６は、システムコントローラ２０から取得した最適記録光パワーＰＷをアナログ変換し、ＡＰＣ回路２７を介してレーザ制御部２３に出力する。また、システムコントローラ２０は、光ピックアップ１２が記録データの書込み位置に対向するように、信号処理部１３に制御信号を与える。
【００４８】
レーザ制御部２３は、ＡＰＣ回路２７側から与えられたアナログの最適記録光パワーＰＷを示す信号と、データ変調部２２から与えられたデータとに基づいて光ピックアップ１２の発光素子を駆動する。これにより、光ディスク１に記録データが記録される。
【００４９】
以上のように、本実施形態では、ＯＰＣを実行する際に、ステップＳＴ１０で、ＢＨ信号と閾値とを比較し、ＢＨ信号が閾値を超えている場合には、ステップＳＴ１１で光ピックアップ１２の位置を再設定する。即ち、光ピックアップ１２で受光した光から光ディスク１２のテスト用データの読込まれた位置を特定することになる。そして、特定された位置で光ピックアップ１２が受光した光に基づき、最適記録光パワーＰＷを決定する。そのため、テスト用データの書込まれていない位置の反射光にしたがって最適記録光パワーＰＷを決定することが防止され、高精度に最適記録光パワーＰＷを決定できる。
【００５０】
また、テスト用データの読み込まれた位置をＢＨ信号を参照して特定している。このＢＨ信号を生成する再生特徴抽出部２４のボトムホールド回路は、元々最適記録光パワーＰＷを決めるために必要な回路であり、テスト用データの読み込み位置を特定すための回路と兼用化される。よって、新たなハードウエアの増加にはならない。
また、ステップＳＴ７を行うことにより、テスト用データの読取り速度が実質的に４倍速以下に制限されるので、システムコントローラ２０が再生信号（ＰＨ信号、ＢＨ信号及びＢＣＥＮＴ信号）を取得する際のサンプル数が多くできるため、ＯＰＣの精度も向上し、最適記録光パワーの信頼性が向上する。
【００５１】
なお、本発明は、上記実施形態にかかわらず、種々の変形が可能である。
例えば、レーザビームのパワー対βの関係をリニアと仮定しているが、リニアでないと仮定し、βの傾きαの変化を吸収できる（１）式を作成してもよい。
【図面の簡単な説明】
【００５２】
【図１】本発明の実施形態に係る光ディスク記録装置の構成図である。
【図２】ＯＰＣによる光パワー適正化方法を示すフローチャートである。
【図３】再生特徴抽出部の出力信号を示す図である。
【図４】最適記録光パワーＰＷの決定処理の概念を説明する図である。
【符号の説明】
【００５３】
１        光ディスク
１１      モータ
１３      信号処理部
１４      データ復調部
１６      サーボ部
１７      駆動ドライバ部
２０      システムコントローラ
２１      メモリ
２２      データ変調部
２３      レーザ制御部
２４      再生特徴抽出部
２５      サンプルホールド回路
２６      ＤＡＣ回路
２７      ＡＰＣ回路
【図１】
2005174445.tif 000003
【図２】
2005174445.tif 000004
【図３】
2005174445.tif 000005
【図４】
2005174445.tif 000006